(57)【特許請求の範囲】
【請求項１】
衣服等へ装着されるブローチ等の装飾具であって、衣服等の表面に配置される本体部と、この本体部の裏面側に埋設された弾性保持部を有する保持部材と、この保持部材の弾性保持部に対し着脱可能に突き刺すことのできる針部を有するピン部材とから構成され、前記保持部材は、筒状のリング部内に多数の棒状弾性体を充填することにより弾性保持部を形成したものであることを特徴とする装飾具。
【請求項２】
本体部の裏面側に複数個の保持部材を埋設し、保持部材の個数と同数のピン部材を、板状の連結部によって、保持部材とほぼ同じ配置となるように一体に連結した請求項１に記載の装飾具。
【発明の詳細な説明】
【０００１】
【発明の属する技術分野】
本発明は、ジャケットやブレザーなどの衣服等へ着脱可能に装着されるブローチ，エンブレム，バッジ等の装飾具に関し、取付作業が簡単であって、取付時の美観性に優れ、人体に対する安全性も高い製品を提供することを目的とする。
【０００２】
【従来の技術とその解決課題】
ジャケットやブレザー等では、胸部分にワッペンやエンブレムを縫い付けることがよく行われる。さらに、ワッペンやエンブレムを縫い付けるのに代えて、図１４の（Ａ）に示すように、ジャケットＪの胸部分に大型のブローチＫやバッジを着脱可能に装着することもある。
【０００３】
ブローチＫなどをジャケットＪ等の衣服へ着脱可能に取り付けるには、従来、安全ピンが用いられている。しかるに、比較的大型のブローチＫを安全ピンで衣服の胸部分に止めつけると、図１４（Ｂ）に示すように、安全ピンＬがブローチＫと服地Ｆとの間に隙間を作るため、ブローチＫが服地Ｆ表面から浮き上がって見え、さらに場合によっては、自重でブローチＫが傾いたり垂れ下がったりして見栄えを悪くするという問題があった。
【０００４】
【課題を解決するための手段】
本発明は前記従来の問題点を解決できる新規な構造の装飾具を提供するものである。本発明に係る装飾具の特徴とするところは、衣服等の表面に配置される本体部と、この本体部の裏面側に埋設された弾性保持部を有する保持部材と、この保持部材の弾性保持部に対し着脱可能に突き刺すことのできる針部を有するピン部材とから構成され、前記保持部材を、筒状のリング部内に多数の棒状弾性体を充填することにより弾性保持部を形成したものとしたことにある。
【０００５】
上記の如く構成された本発明に係る装飾具は、本体部をジャケット等の衣服の表面上に配置し、服地の裏面側からピン部材を刺し通して、本体部の裏面側に埋設した保持部材の弾性保持部へ突き刺すことにより、簡単に衣服に装着することができる。このとき、装飾具の本体部とピン部材との間で衣服の服地を挟持して衣服と装飾具との密接度を高めるから、一体感が増し、見栄えが良くなる。また、ピン部材を衣服の裏面側に配し、保持部材を表面側に配するので、身体に対する安全性が高くなると共に、衣服の裏面側に突出する部分を少なくできるから、違和感を減らすことが可能である。
【０００６】
さらに保持部材は、筒状のリング部内に多数の棒状弾性体を充填することにより弾性保持部を形成したものとしたので、ピン部材の着脱が容易となり、しかもピン部材を突き刺した時に高い保持性能を発揮することができる。
【０００７】
なお前記装飾具において、本体部の裏面側に複数個の保持部材を埋設すると共に、保持部材の個数と同数のピン部材を、板状の連結部によって、保持部材とほぼ同じ配置となるように一体に連結する構成を採用することも可能である。かかる構成により、複数個のピン部材と、それぞれに対応する保持部材との位置合わせが容易になる。
【０００８】
【発明の実施の形態】
〔第１の実施形態〕
図１は、本発明を、ジャケット等に装着される装飾具（ブローチ）１に適用した一例を示すものである。
【０００９】
本発明に係る装飾具１は、服地Ｆの表面側に配置される本体部２と、服地Ｆの裏面側に配置されるピン部材４とから成っており、本体部２の裏面には適数個の保持部材３が埋設されている。本体部２は、厚みが大きくても比較的軽量であることが望ましく、例えば発泡プラスチック，布等の繊維材，木材等を用いて製作される。
【００１０】
本体部２の裏面側に埋設される保持部材３は、図２に示すように、短い筒状のリング部３ａ内に弾性保持部Ｑを設けて成るものであって、本例ではこの弾性保持部Ｑを、金属又はプラスチック製のリング部３ａ内に、リング部３ａの母線方向に沿うように延びる多数のゴム又はプラスチック製の棒状弾性体ｑを隙間なく充填することにより形成している。保持部材３を本体部２に埋設する手段は、本体部２に設けた穴に接着する方法や、本体部２の成形時に埋め込む方法などが考えられる。他方、ピン部材４は、金属又はプラスチックで製作され、円盤状の頭部４ａの中心部に、針部Ｐを突設して成るものである。針部Ｐの長さは、保持部材３の厚み寸法とほぼ等しくなるよう設定される。
【００１１】
図３（Ａ）に示す如く、服地Ｆの裏面側にピン部材４を配置すると共に、表面側に装飾具１の本体部２を配置し、同図（Ｂ）の如く、ピン部材４の針部Ｐを裏面側から服地Ｆを刺し通して、表面側の保持部材３の弾性保持部Ｑに突き刺す。弾性保持部Ｑは多数の棒状弾性体ｑの集合であるから、針部Ｐは棒状弾性体ｑ間の隙間へ圧入される。その結果、針部Ｐに対し周囲の弾性変形した棒状弾性体ｑから反発力が及ぼされるので、ピン部材４が保持部材３から容易に分離することが防止される。このように、本発明に係る装飾具１は、保持部材３とピン部材４との間で服地Ｆを挟持して、本体部２を服地Ｆ表面に密接させることができるから、装飾具１と衣服との一体感を高めることができる。
【００１２】
ところで、衣服の裏面側に配置されるピン部材４が、身体になるべく違和感を与えないようにするため、頭部４ａの厚みは薄いことが望ましい。また装飾具１と衣服との間に隙間ができるだけ生じないようにするため、保持部材３を本体部２の裏面から突出しないように埋設することが望ましい。さらに、本体部２の裏面側に二個の保持部材３，３を埋設する場合、その配置は図１（Ｂ）に示すように、本体部２裏面の上縁部近くにおいて、左右に適宜間隔を置いた位置とすることが望ましい。かかる配置は、装飾具１を衣服に装着したときの保持状態を安定させるうえで効果的と考えられる。但し、保持部材３の埋設個数や装飾具１の本体部２の形状によっては、保持部材３の埋設位置を変更することも妨げない。
【００１３】
〔第２の実施形態〕
図４及び図５に、ピン部材４の異なる実施形態を示す。図４は、ピン部材４における針部Ｐの周面に適数個の溝５を形成したもの、図５は針部Ｐの周面に適数個の段部６を形成したものである。このように、針部Ｐに溝５又は段部６を形成することにより、針部Ｐを保持部材３の弾性保持部Ｑに突き刺した際、ピン部材４の引き抜き方向に対する抵抗力が増すから、抜け止め機能を発揮させることが可能となる。なお上記溝５及び段部６は、螺旋状に形成してもよい。針部Ｐは、突き刺すことが容易な服地Ｆ（例えば、ニット）の場合には、その尖端に弱冠の丸みを持たせ、安全なものとすることが可能となる。
【００１４】
〔第３の実施形態〕
図６は、保持部材３における弾性保持部の異なる実施形態を示すものである。本例の弾性保持部Ｒは、ゴムやプラスチックフォーム等の弾性体に縦横に切り込み７を途中まで入れて、片面側を細かい碁盤目状の小片に区画してある。このため、ピン部材４の針部Ｐを弾性保持部Ｒに突き刺すと、針部Ｐが弾性保持部Ｒの切り込み７間に挿入されるため、ピン部材４が保持部材３から容易には分離しないよう保持することができる。
【００１５】
〔第４の実施形態〕
図７に例示するように、保持部材３のリング部３ａあるいはピン部材４の頭部４ａのいずれか一方又は両方に、磁石ｍを取り付けて、保持部材３とピン部材４との接合状態を、磁力で補強するように構成することも可能である。
【００１６】
〔第５の実施形態〕
本発明に係る装飾具１において本体部２の裏面に二個の保持部材３，３を適宜間隔を置いて埋設した場合、この装飾具１を衣服に装着するには、衣服の裏面側から二個のピン部材４，４を服地を通して、それぞれを保持部材３，３に突き刺すことが必要となる。しかるに、ピン部材４，４を衣服の裏面側から個々に保持部材３，３へ突き刺す作業は、幾分煩雑な面がある。
【００１７】
そこで図８に示すように、二個のピン部材４，４を連結部１０で連結して一体化することにより、上記作業を簡単にすることができる。すなわち、保持部材３，３の配置間隔とほぼ等しい間隔となるようにピン部材４，４を連結部１０で連結しておけば、片方の保持部材３に一方のピン部材４の針部Ｐを突き刺すことにより、もう一方の保持部材３の位置を簡単に割り出せるので、装飾具１の装着作業が非常に容易になる。
【００１８】
なお本例では、ピン部材４の頭部４ａと連結部１０とを一体成形する構成を採用してあるが、ピン部材４と連結部１０とを別部材とすることも可能である。別部材とする場合、連結部１０の素材は、プラスチック，布，金属等、適宜のものを採用できる。さらに連結部１０の形状についても、板状，棒状，紐状など、適宜の形態を採用できる。
【００１９】
装飾具１の本体部２に三個の保持部材３を埋設した場合は、図９に例示するように、これに合わせて三個のピン部材４を連結部１０で一体に連結した構成とすることも可能である。
【００２０】
なお複数個のピン部材４を連結する場合、図１０に示すように、ピン部材４をプラスチック，金属等の薄い可撓性の板状材１１に取り付け、その表裏両面を布地１２で覆う構成とすることも可能である。かかる構成により、服地との馴染みを良くすると共に、身体に対する違和感を低減させることができる。
【００２１】
〔第６の実施形態〕
本発明に係る装飾具１において、本体部２の形状や寸法によっては、裏面に複数個の保持部材３を埋設することが考えられるが、その場合、保持部材３の埋設位置に合わせて複数の針部Ｐを平面的に配置したピン部材４を採用することができる。例えば図１１は、三個の針部Ｐがほぼ正三角形を形成するように正三角形状の連結部２０で一体に連結したもの、図１２は、五個の針部Ｐが正方形を形成するように正方形状の連結部２１で一体に連結したもの、図１３は、四個の針部Ｐが十字形をなすように十字形の連結部２２で一体に連結したものである。
このように、保持部材３及びピン部材４の配置や個数は、装飾具１の本体部２の形状に合わせて決めればよい。また保持部材３とピン部材４との接合箇所を複数形成することによって、装飾具１と服地との密接度を高める効果が得られる。
【００２２】
〔その他の実施形態〕
本発明の適用対象は、ジャケットやブレザー等の衣服の胸部分に装着されるブローチ，バッジ，エンブレム等とするのが好適であるが、それ以外に、シャツやトレーナー等の胸又は背中に装着されるゼッケン，上着に装着される腕章又は襟章，帽子の徽章なども適用対象とすることが考えられる。その他、本発明は、さまざまに応用または変更することを妨げない。
【００２３】
【発明の効果】
本発明によれば、ジャケットやブレザーなどの衣服等にブローチ等の装飾具を装着するに際し、本体部と服地との密接度を高めることができる。その結果、衣服と装飾具との一体感が向上するので、優れた美観性が得られる。衣服の表面側に配置される装飾具の本体部に保持部を埋設し、衣服の裏面側にピン部材を配置するように構成したから、針部の先端が衣服着用者の身体の外方を向くことになるので、人体に対する安全性が高い。またピン部材の厚みを薄くできるから、身体に対する違和感を低減させることが可能である。
【図面の簡単な説明】
【図１】本発明の第１の実施形態に係る装飾具を例示するものであって、図（Ａ）は表面側から見た斜視図、図（Ｂ）は裏面側から見た斜視図である。
【図２】本発明の第１の実施形態に係る装飾具に使用する保持部材とピン部材とを取り出して示す斜視図である。
【図３】本発明の第１の実施形態に係る装飾具を衣服に装着する要領を説明するための図面であって、図（Ａ）は服地の表面側に本体部を配置し、裏面側にピン部材を配置した状況を示す要部の側面断面図、図（Ｂ）は本体部の保持部材にピン部材を突き刺した状態を示す要部の側面断面図である。
【図４】本発明の第２の実施形態に係るものであって、ピン部材の異なる例を示す側面図である。
【図５】本発明の第２の実施形態に係るものであって、ピン部材のさらに異なる例を示す側面図である。
【図６】本発明の第３の実施形態に係るものであって、図（Ａ）は保持部材の異なる例を示す斜視図、図（Ｂ）は同保持部材の側面断面図である。
【図７】本発明の第４の実施形態に係るものであって、図（Ａ）はピン部材のさらに異なる例を示す側面断面図、図（Ｂ）は保持部材のさらに異なる例を示す側面断面図である。
【図８】本発明の第５の実施形態に係るものであって、二個のピン部材を一体に連結した例を示す斜視図である。
【図９】本発明の第５の実施形態に係るものであって、三個のピン部材を一体に連結した例を示す斜視図である。
【図１０】本発明の第５の実施形態に係るものであって、図（Ａ）は２個のピン部材を一体に連結し表面を布地で覆った例を示す斜視図、図（Ｂ）は同ピン部材の連結構造を分解して示す要部の側面図である。
【図１１】本発明の第６の実施形態に係るものであって、三個の針部を一体に連結して構成した正三角形状のピン部材を例示する斜視図である。
【図１２】本発明の第６の実施形態に係るものであって、五個の針部を一体に連結して構成した正方形状のピン部材を例示する斜視図である。
【図１３】本発明の第６の実施形態に係るものであって、四個の針部を一体に連結して構成した十字形状のピン部材を例示する斜視図である。
【図１４】図（Ａ）は、胸部分にブローチを装着したジャケットを示す正面図、図（Ｂ）はブローチの従来の装着状況を示す要部の側面図である。
【符号の説明】
１…装飾具（ブローチ）  ２…本体部  ３…保持部材  ３ａ…リング部  ４…ピン部材  ４ａ…頭部  ５…溝  ６…段部  ７…切り込み  １０…連結部  １１…板状材  １２…布地  ２０，２１，２２…連結部  Ｆ…服地    Ｐ…針部  Ｑ…弾性保持部  ｑ…棒状弾性体  Ｒ…弾性保持部  ｍ…磁石  Ｊ…ジャケット  Ｋ…ブローチ（従来）  Ｌ…安全ピン
【図１】
0003608195.tif 000002
【図２】
0003608195.tif 000003
【図３】
0003608195.tif 000004
【図４】
0003608195.tif 000005
【図５】
0003608195.tif 000006
【図６】
0003608195.tif 000007
【図７】
0003608195.tif 000008
【図８】
0003608195.tif 000009
【図９】
0003608195.tif 000010
【図１０】
0003608195.tif 000011
【図１１】
0003608195.tif 000012
【図１２】
0003608195.tif 000013
【図１３】
0003608195.tif 000014
【図１４】
0003608195.tif 000015